(57)【要約】【課題】センサの接続ケーブルを不要として全体を小型化し、組み立てを容易にするとともにコストを低減する。【解決手段】電気基板４に対して当該電気基板４に実装された撮像素子４１の光軸方向に移動する移動鏡枠５，６を有し、この移動鏡枠５，６が移動した所定位置を検出する検出手段９，１０を電気基板４に実装してある。すなわち、電気基板４に設けた配線パターンによって検出手段９，１０への接続ケーブルが不要になる。この結果、検出手段９，１０の接続ケーブルがなくなるので、装置全体を小型化することが可能になる。また、検出手段９，１０の接続ケーブルがなくなるので、装置の組み立てを容易にすることが可能になる。さらに、検出手段９，１０の接続ケーブルがなくなるので、装置の小型化や組み立てを容易にするために用いられる高価なフレキシブル基板を採用しなくてもよいためコストを低減することが可能になる。【選択図】        図１５
2006154130.tif 000002
【特許請求の範囲】
【請求項１】
撮像素子が実装された電気基板と、
前記撮像素子の光軸方向に移動する移動鏡枠と、
前記電気基板に実装してあり前記移動鏡枠が移動した所定位置を検出する検出手段と
を備えたことを特徴とするレンズ駆動装置。
【請求項２】
前記所定位置は、当該装置の起動時における前記移動鏡枠の初期位置であることを特徴とする請求項１に記載のレンズ駆動装置。
【請求項３】
前記検出手段は、複数の移動鏡枠の所定位置を検出する態様で各移動鏡枠に対応して複数設けてあることを特徴とする請求項１に記載のレンズ駆動装置。
【請求項４】
前記検出手段は、前記移動鏡枠の位置を直接検出するフォトインタラプタからなることを特徴とする請求項１〜３のいずれか一つに記載のレンズ駆動装置。
【請求項５】
前記検出手段は、前記移動鏡枠の位置を直接検出するフォトリフレクタからなることを特徴とする請求項１〜３のいずれか一つに記載のレンズ駆動装置。
【発明の詳細な説明】
【技術分野】
【０００１】
本発明は、レンズ駆動装置に関するものである。
【背景技術】
【０００２】
従来、ズームカメラとして、２群ズームレンズの１群枠と２群枠とを撮影光学系の光軸方向に移動させるものがある。１群枠はカム支持軸に嵌挿したズーム用駆動環の外周に設けた螺旋状のカム溝に嵌合し、２群枠は同カム支持軸に嵌挿したフォーカス兼ズーム用駆動環の外周に設けた螺旋状のカム溝に嵌合している。ズーム用駆動環とフォーカス兼ズーム用駆動環との間には、空送部と係合部とからなるクラッチ手段が設けてある。フォーカス兼ズーム用駆動環に一体に形成したギヤには、モータの出力軸に固定されたピニオンが噛み合っている。そして、モータを正逆駆動することで、一方ではクラッチ手段の空送部内でのフォーカス兼ズーム用駆動環の回動によってフォーカス動作を行い、他方ではクラッチ手段の係合部によるフォーカス兼ズーム用駆動環とズーム用駆動環との連動回動によってズーム動作を行う。このズームカメラでは、２群枠がリセット位置にきたときに２群枠に設けたリブを挟む位置にセンサ（フォトインタラプタ）が配置してある。また、ピニオンに設けたスリット板を挟む位置にもセンサ（フォトインタラプタ）が配置してある。すなわち、２群枠のリセット位置を基準にし、当該基準位置からのモータの回転数によって１群枠および２群枠の移動位置を検出している（例えば、特許文献１参照）。
【０００３】
【特許文献１】特許第２９２９４８０号公報
【発明の開示】
【発明が解決しようとする課題】
【０００４】
しかしながら、従来では、基準位置を検出するセンサと、モータの回転数を検出するセンサとがそれぞれ検出する対象物の位置に対応して設けてあり、それぞれの位置にあるセンサに対して接続ケーブルによる配線を行う必要がある。このため全体が大型化してしまい組み立てが容易でない。また、接続ケーブルにフレキシブル基板を用いた場合では、フレキシブル基板が高価であるためにコストが嵩んでしまう。
【０００５】
本発明は、上記に鑑みてなされたものであって、センサの接続ケーブルを不要として全体を小型化し、組み立てを容易にするとともにコストを低減することができるレンズ駆動装置を提供することを目的とする。
【課題を解決するための手段】
【０００６】
上述した課題を解決し、目的を達成するために、本発明の請求項１に係るレンズ駆動装置は、撮像素子が実装された電気基板と、前記撮像素子の光軸方向に移動する移動鏡枠と、前記電気基板に実装してあり前記移動鏡枠が移動した所定位置を検出する検出手段とを備えたことを特徴とする。
【０００７】
本発明の請求項２に係るレンズ駆動装置は、上記請求項１において、前記所定位置は、当該装置の起動時における前記移動鏡枠の初期位置であることを特徴とする。
【０００８】
本発明の請求項３に係るレンズ駆動装置は、上記請求項１において、前記検出手段は、複数の移動鏡枠の所定位置を検出する態様で各移動鏡枠に対応して複数設けてあることを特徴とする。
【０００９】
本発明の請求項４に係るレンズ駆動装置は、上記請求項１〜３のいずれか一つにおいて、前記検出手段は、前記移動鏡枠の位置を直接検出するフォトインタラプタからなることを特徴とする。
【００１０】
本発明の請求項５に係るレンズ駆動装置は、上記請求項１〜３のいずれか一つにおいて、前記検出手段は、前記移動鏡枠の位置を直接検出するフォトリフレクタからなることを特徴とする。
【発明の効果】
【００１１】
本発明にかかるレンズ駆動装置は、撮像素子が実装された電気基板と、撮像素子の光軸方向に移動する移動鏡枠とを有して、移動鏡枠が移動した所定位置を検出する検出手段を電気基板に実装してある。すなわち、電気基板に設けた配線パターンによって検出手段への接続ケーブルが不要になる。この結果、検出手段の接続ケーブルを配線する必要がないので装置全体を小型化できる。また、検出手段の接続ケーブルを配線する必要がないので装置の組み立てを容易にすることができる。さらに、検出手段の接続ケーブルがないため、装置の小型化や組み立てを容易にするために用いられる高価なフレキシブル基板を採用しなくてもよくコストを低減できる。
【発明を実施するための最良の形態】
【００１２】
以下に添付図面を参照して、本発明に係るレンズ駆動装置の好適な実施の形態を詳細に説明する。なお、この実施の形態によりこの発明が限定されるものではない。
【００１３】
図１は本発明に係る実施の形態のレンズ駆動装置を採用する携帯機器用デジタルカメラと携帯機器とを例示する斜視図、図２は図１に示した携帯機器用デジタルカメラの前面視斜視図である。
【００１４】
図１および図２に示すように本実施の形態のレンズ駆動装置は、例えばＰＤＡ（Ｐｅｒｓｏｎａｌ  Ｄｉｇｉｔａｌ  Ａｓｓｉｓｔａｎｔｓ）などの携帯機器２００に用いられる携帯機器用デジタルカメラ３００に採用してある。図１に示すように携帯機器２００は、正面側に液晶モニタ２０１および操作ボタン２０２などが配置してある。また、携帯機器２００の上面には、周辺機器との接続のため、カードスロット２０３として例えばコンパクトフラッシュ（Ｒ）カードスロットが設けてある。携帯機器用デジタルカメラ３００は、撮像部３０１および挿入部３０２で構成してある。図２に示すように撮像部３０１は、その内部に本発明に係るレンズ駆動装置を構成する撮像ユニット１が配置してある。そして、撮像部３０１は、その前側において撮像ユニット１の撮像レンズＬを臨む撮影レンズ窓３０１ａが設けてある。挿入部３０２は、携帯機器２００のカードスロット２０３に挿入されるもので（図１に一点鎖線で示す）、その端部に、携帯機器２００との電気的接続を可能とする接続コネクタ（図示せず）を有している。そして、図には明示しないがカードスロット２０３は、接続コネクタと撮像ユニット１とを電気的に接続している。すなわち、携帯機器用デジタルカメラ３００は、挿入部３０２を携帯機器２００のカードスロット２０３に挿入することで、携帯機器２００側から給電され、液晶モニタ２０１に被写体像を写し、操作ボタン２０２の操作によってズーム、撮影など操作が可能になっている。
【００１５】
図３は撮像ユニットの外観を示す斜視図、図４および図５は撮像ユニットの分解斜視図、図６は鏡枠を示す断面図である。
【００１６】
図３に示すように撮像ユニット１は、後側にケーシングをなす固定鏡枠２を有し、前側に固定鏡枠２の蓋体をなすカバー３を有している。すなわち、固定鏡枠２とカバー３とで撮像ユニット１の筐体を構成してある。固定鏡枠２とカバー３とは、互いに組み合わされた形態で固定ネジ１０１によって固定される。カバー３の前面には、撮像レンズＬを臨む開口３１が設けてある。固定鏡枠２の後面には、電気基板４が取り付けてある。そして、図４および図５に示すように撮像ユニット１の筐体内部には、第１移動鏡枠５および第２移動鏡枠６と、各移動鏡枠５，６を移動させるための第１鏡枠駆動部７および第２鏡枠駆動部８と、各移動鏡枠５，６の所定位置を検出するためのセンサとしての第１検出手段９および第２検出手段１０が収容してある。
【００１７】
図６に示すように第１移動鏡枠５、第２移動鏡枠６および固定鏡枠２には、撮像レンズＬが保持してある。第１移動鏡枠５は、撮像レンズＬ１を接着などによって保持した第１移動レンズ群をなしている。第２移動鏡枠６は、撮像レンズＬ２および撮像レンズＬ３を接着などによって保持した第２移動レンズ群をなしている。固定鏡枠２は、レンズ保持部２０に対して撮像レンズＬ４を接着などによって保持した固定レンズ群をなしている。すなわち、本実施の形態では、３群４枚のレンズ構成をなし、第１移動鏡枠５（第１移動レンズ群）、第２移動鏡枠６（第２移動レンズ群）および固定鏡枠２（固定レンズ群）は、各撮像レンズＬ１，Ｌ２，Ｌ３，Ｌ４を前側から順に撮影光学系の光軸Ｓ方向に沿って配置している。また、固定鏡枠２において撮像レンズＬ４の後側に設けた電気基板４には、各撮像レンズＬ１，Ｌ２，Ｌ３，Ｌ４を介した被写体光を感知する撮像素子４１（例えばＣＣＤ：Ｃｈａｒｇｅ  Ｃｏｕｐｌｅｄ  Ｄｅｖｉｃｅｓ）が光軸Ｓ上にて配置してある。また、第２移動鏡枠６（第２移動レンズ群）の前側には、当該第２移動鏡枠６と一体的にシャッタユニット１１が光軸Ｓ上に設けてある（図４、図５および図１５参照）。そして、第１移動鏡枠５（第１移動レンズ群）および第２移動鏡枠６（第２移動レンズ群）の光軸Ｓ方向に沿う相対移動によって撮像素子４１が感知する撮像倍率の変更、すなわちズームが行われる。さらに、ズーム操作中にも焦点調整が行われる。すなわち、第１移動鏡枠５（第１移動レンズ群）のみの光軸Ｓ方向に沿う移動によって撮像素子４１に対する焦点調整が行われる。その後、レリーズが行われるとシャッタユニット１１を駆動して開けられたシャッタを閉じることで各撮像レンズＬ１，Ｌ２，Ｌ３，Ｌ４を介した被写体像を撮像素子４１が取り込む。
【００１８】
図７は第１移動鏡枠および第２移動鏡枠の固定鏡枠への組み付けを示す分解斜視図である。
【００１９】
図４、図５および図７に示すように第１移動レンズ群を構成する第１移動鏡枠５は、スリーブ５１、ナット部５２、回転規制凹部５３および検出片５４を一体的に有している。スリーブ５１は、第１移動鏡枠５が移動する光軸Ｓ方向に貫通する態様で筒状に形成してある。ナット部５２は、側方に向かって開口する略Ｕ字形状に形成してあり、その内側面には、第１鏡枠駆動部７側に噛み合う雌ネジ部５２１を有している。回転規制凹部５３は、側方に向かって開口する略コ字形状に形成してある。検出片５４は、板片状に形成してあり、第１移動鏡枠５において最も後方に延在して設けてある。
【００２０】
第１移動鏡枠５は、筐体内部である固定鏡枠２とカバー３との間で光軸Ｓ方向に延在する態様で支持された第１ガイド軸５５に対し、スリーブ５１を挿通することによって光軸Ｓ方向に移動可能に案内される。第１ガイド軸５５は、固定鏡枠２に設けた第１ガイド軸固定孔２２と、カバー３に設けた第１ガイド軸固定孔３２とに各端部を嵌合することによって固定鏡枠２とカバー３との間で支持してある。また、第１ガイド軸５５には、圧縮バネからなる第１付勢部材５６が挿通してある。この第１付勢部材５６は、第１移動鏡枠５におけるスリーブ５１の後側に配置してあって第１移動鏡枠５を前側に押圧付勢する。また、第１移動鏡枠５は、固定鏡枠２の内側面において光軸Ｓ方向に延在する回転規制凸部２１に対して回転規制凹部５３を嵌挿してある。このため、第１移動鏡枠５は、第１ガイド軸５５によって光軸Ｓ方向に移動可能に案内されつつ、回転規制凸部２１への回転規制凹部５３の嵌挿によって第１ガイド軸５５を中心とした回転を規制される。
【００２１】
図４、図５および図７に示すように第２移動レンズ群を構成する第２移動鏡枠６は、スリーブ６１、ナット部６２、回転規制凹部６３および検出片６４を一体的に有している。スリーブ６１は、第２移動鏡枠６が移動する光軸Ｓ方向に貫通する態様で筒状に形成してある。ナット部６２は、側方に向かって開口する略Ｕ字形状に形成してあり、その内側面には、第２鏡枠駆動部８側に噛み合う雌ネジ部６２１を有している。回転規制凹部６３は、側方に向かって開口する略コ字形状に形成してある。検出片６４は、板片状に形成してあり、第２移動鏡枠６において最も後方に延在して設けてある。
【００２２】
第２移動鏡枠６は、筐体内部である固定鏡枠２とカバー３との間で光軸Ｓ方向に延在する態様で支持された第２ガイド軸６５に対し、スリーブ６１を挿通することによって光軸Ｓ方向に移動可能に案内される。第２ガイド軸６５は、固定鏡枠２に設けた第２ガイド軸固定孔２３と、カバー３に設けた第２ガイド軸固定孔３３とに各端部を嵌合することによって固定鏡枠２とカバー３との間で支持してある。また、第２ガイド軸６５には、圧縮バネからなる第２付勢部材６６が挿通してある。この第２付勢部材６６は、第２移動鏡枠６におけるスリーブ６１の後側に配置してあって第２移動鏡枠６を前側に押圧付勢する。また、第２移動鏡枠６は、固定鏡枠２の内側面において光軸Ｓ方向に延在する回転規制凸部２１に対して回転規制凹部６３を嵌挿してある。このため、第２移動鏡枠６は、第２ガイド軸６５によって光軸Ｓ方向に移動可能に案内されつつ、回転規制凸部２１への回転規制凹部６３の嵌挿によって第２ガイド軸６５を中心とした回転を規制される。この第２移動鏡枠６の前側には、シャッタユニット１１が接着などによって一体的に取り付けてある。
【００２３】
なお、第１移動鏡枠５のスリーブ５１およびナット部５２と、第２移動鏡枠６のスリーブ６１およびナット部６２とは、第１移動鏡枠５（第１移動レンズ群）および第２移動鏡枠６（第２移動レンズ群）の相対する光軸Ｓ方向への移動に際してそれぞれが互いに干渉せず光軸Ｓに平行して配置してある。
【００２４】
図８および図９は第１鏡枠駆動部を示す斜視図、図１０は第１鏡枠駆動部の固定鏡枠への組み付けを示す分解斜視図である。
【００２５】
図４、図５、図８および図９に示すように第１鏡枠駆動部７は、モータ７１、減速ギヤ７２およびリードギヤ７３を有している。図８および図９に示すようにモータ７１は、ステッピングモータからなり、所定のステップ信号数に応じて駆動するものである。後側に延在するモータ７１の出力軸には、出力歯車７１１が取り付けてある。また、モータ７１には、板状のフランジ７１２がスポット溶接などで取り付けてある。このフランジ７１２には、図８および図９に示すように固定鏡枠２への組み付けに関して係合孔７１２ａとネジ孔７１２ｂとが設けてある。減速ギヤ７２は、後側に設けた大径歯車７２１と、前側に設けた小径歯車７２２とからなり、大径歯車７２１を出力歯車７１１に噛合してある。また、減速ギヤ７２には、前後方向に貫通する軸孔７２３が設けてある。リードギヤ７３は、後側に設けた伝達歯車７３１と、前側に設けたスクリュ７３２とからなり、伝達歯車７３１を小径歯車７２２に噛合し、スクリュ７３２を第１移動鏡枠５におけるナット部５２の雌ネジ部５２１に噛合してある（図１４参照）。また、リードギヤ７３には、前端側に軸孔７３３が設けてあり、後端側に軸孔７３３と同軸な回転軸７３４が設けてある。
【００２６】
この第１鏡枠駆動部７は、固定鏡枠２およびカバー３に対して以下のごとく組み付けられる。図１０に示すように固定鏡枠２の内側面には、減速ギヤ軸２４ａ、モータ用係合ピン２４ｂ、ネジ挿通孔２４ｃおよびリードギヤ軸２４ｄが設けてある。これら、減速ギヤ軸２４ａ、モータ用係合ピン２４ｂ、ネジ挿通孔２４ｃおよびリードギヤ軸２４ｄは、光軸Ｓ方向に延在もしくは穿設してある。そして、減速ギヤ軸２４ａには、減速ギヤ７２が軸孔７２３を介して回転可能に支持される。また、モータ用係合ピン２４ｂには、モータ７１におけるフランジ７１２の係合孔７１２ａが位置決め係合される。また、ネジ挿通孔２４ｃには、固定鏡枠２の外部後側から固定ネジ１０２が挿通されてフランジ７１２のネジ孔７１２ｂに螺着される。ここで、減速ギヤ７２は、固定鏡枠２の内側面と、モータ７１のフランジ７１２との間で減速ギヤ軸２４ａから抜け止めされ、かつ、光軸Ｓ方向に若干の隙間をもって支持される。さらに、リードギヤ軸２４ｄには、リードギヤ７３が軸孔７３３を介して回転可能に支持される。また、リードギヤ７３は、回転軸７３４を介してカバー３の軸受孔３４に回転可能に支持される（図４参照）。このようにして第１鏡枠駆動部７が固定鏡枠２およびカバー３に対して組み付けられる。すなわち、第１鏡枠駆動部７において、モータ７１を正逆駆動すると、その出力軸の回転が減速ギヤ７２からリードギヤ７３に減速して伝達されることによって、第１移動鏡枠５が第１ガイド軸５５に沿って光軸Ｓ方向に移動する。
【００２７】
図１１は第２鏡枠駆動部を示す斜視図、図１２は第２鏡枠駆動部の固定鏡枠への組み付けを示す分解斜視図である。
【００２８】
図４、図５および図１１に示すように第２鏡枠駆動部８は、モータ８１、減速ギヤ８２およびリードギヤ８３を有している。図１１に示すようにモータ８１は、ステッピングモータからなり、所定のステップ信号数に応じて駆動するものである。後側に延在するモータ８１の出力軸には、出力歯車８１１が取り付けてある。また、モータ８１には、板状のフランジ８１２がスポット溶接などで取り付けてある。このフランジ８１２には、図１２に示すように固定鏡枠２への組み付けに関して係合凹部８１２ａとネジ孔８１２ｂとが設けてあり、かつ、減速ギヤ８２の固定鏡枠２への組み付けに関して軸受孔８１２ｃが設けてある。なお、図１２では、説明の便宜上フランジ８１２をモータ８１から外して図示してある。図１１に示すように減速ギヤ８２は、後側に設けた大径歯車８２１と、前側に設けた小径歯車８２２とからなり、大径歯車８２１を出力歯車８１１に噛合してある。また、減速ギヤ８２には、前後方向に貫通する軸孔８２３が設けてある。リードギヤ８３は、後側に設けた伝達歯車８３１と、前側に設けたスクリュ８３２とからなり、伝達歯車８３１を小径歯車８２２に噛合し、スクリュ８３２を第２移動鏡枠６におけるナット部６２の雌ネジ部６２１に噛合してある（図１４参照）。また、リードギヤ８３には、前後方向に延在する回転軸８３３が設けてある。
【００２９】
この第２鏡枠駆動部８は、固定鏡枠２およびカバー３に対して以下のごとく組み付けられる。図１２に示すように固定鏡枠２の内側面には、減速ギヤ軸２４ｅ、モータ用係合ピン２４ｆ、ネジ挿通孔２４ｇおよびリードギヤ軸孔２４ｈが設けてある。これら、減速ギヤ軸２４ｅ、モータ用係合ピン２４ｆ、ネジ挿通孔２４ｇおよびリードギヤ軸孔２４ｈは、光軸Ｓ方向に延在もしくは穿設してある。そして、減速ギヤ軸２４ｅには、減速ギヤ８２が軸孔８２３を介して回転可能に支持される。また、モータ用係合ピン２４ｆには、モータ８１におけるフランジ８１２の係合凹部８１２ａが位置決め係合される。また、ネジ挿通孔２４ｇには、固定鏡枠２の外部後側から固定ネジ１０３が挿通されてフランジ８１２のネジ孔８１２ｂに螺着される。ここで、減速ギヤ７２は、減速ギヤ軸２４ｅの先端に、モータ８１におけるフランジ８１２の軸受孔８１２ｃが挿通することによって、固定鏡枠２の内側面と、フランジ８１２との間で減速ギヤ軸２４ｅから抜け止めされ、かつ、光軸Ｓ方向に若干の隙間をもって支持される。さらに、リードギヤ軸孔２４ｈには、リードギヤ８３が回転軸８３３を介して回転可能に支持される。また、リードギヤ８３は、回転軸８３３を介してカバー３の軸受孔３５に回転可能に支持される（図４参照）。このようにして第２鏡枠駆動部８が固定鏡枠２およびカバー３に対して組み付けられる。すなわち、第２鏡枠駆動部８において、モータ８１を正逆駆動すると、その出力軸の回転が減速ギヤ８２からリードギヤ８３に減速して伝達されることによって、第２移動鏡枠６が第２ガイド軸６５に沿って光軸Ｓ方向に移動する。
【００３０】
なお、第２移動鏡枠６には、上述したようにシャッタユニット１１が一体的に取り付けてあるために、第１移動鏡枠５と比較して重量が嵩む。すなわち、第２鏡枠駆動部８のリードギヤ８３は、第１鏡枠駆動部７のリードギヤ７３に比べて大きな回転トルクを必要とする。本実施の形態では、第２鏡枠駆動部８のモータ８１を第１鏡枠駆動部７のモータ７１に比べてトルクの大きく設定しているが、できるだけ減速系を小型化するために歯車のモジュールを小さくしている。ただし、歯車の強度を確保するために、第２鏡枠駆動部８における減速ギヤ８２の小径歯車８２２、およびリードギヤ８３の伝達歯車８３１のモジュールを、第１鏡枠駆動部７における減速ギヤ７２の小径歯車７２２、およびリードギヤ７３の伝達歯車７３１に比べて大きくしてある。さらに、第１鏡枠駆動部７のモータ７１と、第２鏡枠駆動部８のモータ８１とを光軸Ｓに対して平行に配置してある。この結果、撮像ユニット１の光軸Ｓ方向の長さ（厚さ）を必要以上に大型化することなく構成できる。
【００３１】
図１３は電気基板の固定鏡枠への組み付けを示す分解斜視図である。
【００３２】
図４に示すように電気基板４の前面には、撮像素子４１が実装してある。さらに、電気基板４の後面には、集積回路（ＬＳＩ：Ｌａｒｇｅ−ｓｃａｌｅ  Ｉｎｔｅｇｒａｔｅｄ  Ｃｉｒｃｕｉｔ）などの駆動用の制御回路４２が実装してある。この電気基板４は、固定鏡枠２の後側（外側）に固定してある。図１３に示すように固定鏡枠２の後側には、円柱形状を呈して突出する２つの基板位置決め突起２５と、２つのネジ孔２６とが設けてある。これに対して電気基板４には、２つの位置決め孔４３と、２つのネジ挿通孔４４とが設けてある。すなわち、撮像レンズＬ４をレンズ保持部２０に保持した固定鏡枠２の各基板位置決め突起２５に対して、電気基板４の位置決め孔４３を嵌合し、後方から各ネジ導通孔４４を介して各ネジ孔２６に固定ネジ１０４をそれぞれ螺着することによって固定鏡枠２の後側に対して電気基板４が位置決め固定される。
【００３３】
なお、固定鏡枠２の基板位置決め突起２５は、円柱形状を呈していて、一方が第１ガイド軸５５を支持する第１ガイド軸固定孔２２と同心に設けてあり、他方が第２ガイド軸６５を支持する第２ガイド軸固定孔２３と同心に設けてある。各基板位置決め突起２５は、固定鏡枠２に対して撮像素子４１の光軸Ｓの位置決めをするためのものである。また、第１ガイド軸固定孔２２および第２ガイド軸固定孔２３は、それぞれ第１移動鏡枠５の光軸Ｓ方向への移動を案内する第１ガイド軸５５、および第２移動鏡枠６の光軸Ｓ方向への移動を案内する第２ガイド軸６５の位置決めをするためのものである。すなわち、共に光軸Ｓに関わる位置決めを行うための構成を同心に設けているので、撮像素子４１の光軸Ｓに対して移動する撮像レンズＬ１，Ｌ２，Ｌ３の位置を精度良く位置だしできる。また、撮像レンズＬ４は、固定鏡枠２の寸法精度によって撮像素子４１の光軸Ｓに対して精度良く位置だしされる。
【００３４】
図１４は第１移動鏡枠と第１検出手段との相対関係を示す斜視図、図１５は第２移動鏡枠と第２検出手段との相対関係を示す斜視図である。
【００３５】
第１検出手段９および第２検出手段１０は、フォトインタラプタからなり、図４に示すように電気基板４の前面に対して半田付けによって実装してある。図１３に示すように固定鏡枠２の後側には、電気基板４に実装してある第１検出手段９および第２検出手段１０を挿通する挿通孔２７が設けてある。すなわち、第１検出手段９および第２検出手段１０は、電気基板４を上述のごとく固定鏡枠２に取り付けることによって挿通孔２７を介して固定鏡枠２の内部に配置される。そして、図１４に示すように後方に向かって移動した第１移動鏡枠５の検出片５４によって、第１検出手段９の光束が遮断される。このため、第１移動鏡枠５の所定位置が検出される。また、図１５に示すように後方に向かって移動した第２移動鏡枠６の検出片６４によって、第２検出手段１０の光束が遮断される。このため、第２移動鏡枠６の所定位置が検出される。なお、第１移動鏡枠５および第２移動鏡枠６の所定位置とは、本レンズ駆動装置の撮影起動時における第１移動鏡枠５および第２移動鏡枠６の初期位置であって、本実施の形態では固定鏡枠２に設けた撮像レンズＬ４（固定レンズ群）に対して、第１移動鏡枠５（第１移動レンズ群）および第２移動鏡枠６（第２移動レンズ群）の間隔が最も狭いワイド端位置である。また、初期位置は、固定鏡枠２に設けた撮像レンズＬ４（固定レンズ群）に対して、第１移動鏡枠５（第１移動レンズ群）および第２移動鏡枠６（第２移動レンズ群）の間隔が最も離れたテレ端位置であってもよい。
【００３６】
このように、上述したレンズ駆動装置では、電気基板４に対して当該電気基板４に実装された撮像素子４１の光軸Ｓ方向に移動する移動鏡枠５，６を有し、この移動鏡枠５，６が移動した所定位置を検出する検出手段９，１０を電気基板４に実装してある。すなわち、電気基板４に設けた配線パターンによって検出手段９，１０への接続ケーブルが不要になる。この結果、検出手段９，１０の接続ケーブルを配線する必要がないので、装置全体を小型化することが可能になる。また、検出手段９，１０の接続ケーブルを配線する必要がないので、装置の組み立てを容易にすることが可能になる。さらに、検出手段９，１０の接続ケーブルがないため、装置の小型化や組み立てを容易にするために用いられる高価なフレキシブル基板を採用しなくてもよくコストを低減することが可能になる。
【００３７】
特に、本実施の形態におけるレンズ駆動装置では、携帯機器２００に用いられる携帯機器用デジタルカメラ３００に採用する構成として、小型化が要求されるものであって、撮像素子４１が実装された電気基板４に検出手段９，１０を実装したことによって顕著に小型化を実施できるものである。
【００３８】
移動鏡枠５，６が移動した所定位置は、装置の撮影起動時における移動鏡枠５，６の初期位置である（ワイド端またはテレ端）。すなわち、レンズ駆動装置に電圧が印可された際の移動鏡枠５，６の初期位置を当該移動鏡枠５，６の位置を検出する所定位置とすることでレンズ駆動装置における移動鏡枠５，６の駆動制御を容易にしている。
【００３９】
検出手段９，１０は、複数の移動鏡枠５，６の所定位置を検出する態様で各移動鏡枠５，６に対応して複数設けてある。このように、本実施の形態におけるレンズ駆動装置では、複数の移動鏡枠５，６の場合でも、これらの所定位置を検出する検出手段９，１０を電気基板４に実装して、電気基板４に設けた配線パターンによって検出手段９，１０への接続ケーブルを不要にしている。この結果、複数の検出手段９，１０の接続ケーブルを配線する必要がないので、装置全体を小型化することが可能になる。また、複数の検出手段９，１０の接続ケーブルを配線する必要がないので、装置の組み立てを容易にすることが可能になる。さらに、複数の検出手段９，１０の接続ケーブルがないため、装置の小型化や組み立てを容易にするために用いられる高価なフレキシブル基板を採用しなくてもよくコストを低減することが可能になる。
【００４０】
なお、上述した実施の形態では、検出手段９，１０をフォトインタラプタとして説明したが、必要に応じて検出手段９，１０としてフォトリフレクタを用いてもよい。この場合、例えば、第１移動鏡枠５の検出片５４によってフォトリフレクタである検出手段の光束を反射することで第１移動鏡枠５の所定位置（初期位置）が検出され、第２移動鏡枠６の検出片６４によってフォトリフレクタである検出手段の光束を反射することで第２移動鏡枠６の所定位置（初期位置）が検出される。
【００４１】
なお、上述した実施の形態では、撮像素子４１を実装した電気基板４を固定鏡枠２に固定した例を説明したが、この限りではない。図には明示しないが、例えば、制御回路などを実装したメイン基板を固定鏡枠２に固定し、撮像素子４１を実装した電気基板４を光軸Ｓ方向に移動可能に設けて、この電気基板４に対して検出手段９，１０を実装してもよい。この構成によっても、電気基板４に設けた配線パターンによって検出手段９，１０への接続ケーブルが不要になる。
【図面の簡単な説明】
【００４２】
【図１】本発明に係る実施の形態のレンズ駆動装置を採用する携帯機器用デジタルカメラと携帯機器とを例示する斜視図である。
【図２】図１に示した携帯機器用デジタルカメラの前面視斜視図である。
【図３】撮像ユニットの外観を示す斜視図である。
【図４】撮像ユニットの分解斜視図である。
【図５】撮像ユニットの分解斜視図である。
【図６】鏡枠を示す断面図である。
【図７】第１移動鏡枠および第２移動鏡枠の固定鏡枠への組み付けを示す分解斜視図である。
【図８】第１鏡枠駆動部を示す斜視図である。
【図９】第１鏡枠駆動部を示す斜視図である。
【図１０】第１鏡枠駆動部の固定鏡枠への組み付けを示す分解斜視図である。
【図１１】第２鏡枠駆動部を示す斜視図である。
【図１２】第２鏡枠駆動部の固定鏡枠への組み付けを示す分解斜視図である。
【図１３】電気基板の固定鏡枠への組み付けを示す分解斜視図である。
【図１４】第１移動鏡枠と第１検出手段との相対関係を示す斜視図である。
【図１５】第２移動鏡枠と第２検出手段との相対関係を示す斜視図である。
【符号の説明】
【００４３】
１    撮像ユニット
２    固定鏡枠
３    カバー
４    電気基板
４１    撮像素子
５    第１移動鏡枠
５１    スリーブ
５２    ナット部
５３    回転規制凹部
５４    検出片
５５    第１ガイド軸
５６    第１付勢部材
６    第２移動鏡枠
６１    スリーブ
６２    ナット部
６３    回転規制凹部
６４    検出片
６５    第２ガイド軸
６６    第２付勢部材
７    第１鏡枠駆動部
７１    モータ
７２    減速ギヤ
７３    リードギヤ
８    第２鏡枠駆動部
８１    モータ
８２    減速ギヤ
８３    リードギヤ
９    第１検出手段
１０    第２検出手段
１１    シャッタユニット
１０１，１０２，１０３，１０４    固定ネジ
Ｌ１，Ｌ２，Ｌ３，Ｌ４    撮像レンズ
Ｓ    光軸
【図１】
2006154130.tif 000003
【図２】
2006154130.tif 000004
【図３】
2006154130.tif 000005
【図４】
2006154130.tif 000006
【図５】
2006154130.tif 000007
【図６】
2006154130.tif 000008
【図７】
2006154130.tif 000009
【図８】
2006154130.tif 000010
【図９】
2006154130.tif 000011
【図１０】
2006154130.tif 000012
【図１１】
2006154130.tif 000013
【図１２】
2006154130.tif 000014
【図１３】
2006154130.tif 000015
【図１４】
2006154130.tif 000016
【図１５】
2006154130.tif 000017